(57)【要約】  送風機室２０及び機械室１０が内部に設けられた筐体５０を備えた室外機１００であって、第１開口部５０ｌ１が設けられ、筐体５０の送風機室２０側の側面を構成する左側面パネル５０ｌと、左側面パネル５０ｌに取り付けられる第１把持部４０ｌと、を備え、第１把持部４０ｌは、筐体５０の側面視において第１開口部５０ｌ１の開口縁よりも内方に位置し、左側面パネル５０ｌの外面よりも内面側に位置する。
2016103331.tif 000002
【特許請求の範囲】
【請求項１】
送風機室及び機械室が内部に設けられた筐体を備えた室外機であって、
第１開口部が設けられ、前記筐体の送風機室側の側面を構成する左側面パネルと、
前記左側面パネルに取り付けられる第１把持部と、を備え、
前記第１把持部は、
前記筐体の側面視において前記第１開口部の開口縁よりも内方に位置し、前記左側面パネルの外面よりも内面側に位置する
室外機。
【請求項２】
送風機室及び機械室が内部に設けられた筐体を備えた室外機であって、
第２開口部が設けられ、前記筐体の機械室側の側面を構成する右側面パネルと、
前記右側面パネルに取り付けられる第２把持部と、を備え、
前記第２把持部は、
前記筐体の側面視において前記第２開口部の開口縁よりも内方に位置し、前記右側面パネルの外面よりも内面側に位置する
室外機。
【請求項３】
送風機室及び機械室が内部に設けられた筐体を備えた室外機であって、
第１開口部が設けられ、前記筐体の送風機室側の側面を構成する左側面パネルと、
第２開口部が設けられ、前記筐体の機械室側の側面を構成する右側面パネルと、
前記左側面パネルに取り付けられる第１把持部と、
前記右側面パネルに取り付けられる第２把持部と、を備え、
前記第１把持部は、
前記筐体の側面視において前記第１開口部の開口縁よりも内方に位置し、前記左側面パネルの外面よりも内面側に位置し、
前記第２把持部は、
前記筐体の側面視において前記第２開口部の開口縁よりも内方に位置し、前記右側面パネルの外面よりも内面側に位置する
室外機。
【請求項４】
前記第１把持部は、前記第２把持部よりも前記筐体の上方に設けられている
請求項３に記載の室外機。
【請求項５】
前記第１把持部は、前記第２把持部よりも前記筐体の後方に設けられている
請求項３に記載の室外機。
【請求項６】
前記第１開口部は、
前記左側面パネルの一部を前記左側面パネルの厚み方向に折り曲げることで設けられる
請求項１、請求項３、請求項４、又は請求項５に記載の室外機。
【請求項７】
前記第２開口部は、
前記右側面パネルの一部を前記右側面パネルの厚み方向に折り曲げることで設けられる
請求項２、請求項３、請求項４、又は請求項５に記載の室外機。
【発明の詳細な説明】
【技術分野】
【０００１】
本発明は、室外機に関する。
【背景技術】
【０００２】
従来、筐体の一部を構成する左側板に配設される取っ手を備えた室外機があった（例えば、特許文献１参照）。特許文献１に記載の室外機は、取っ手が左側板に取り付けられた状態において、取っ手が左側板から突出している。
【先行技術文献】
【特許文献】
【０００３】
【特許文献１】特開２００６−２８４０４３号公報
【発明の概要】
【発明が解決しようとする課題】
【０００４】
しかしながら、特許文献１に記載の室外機においては、取っ手が左側板から突出しているため、意匠性が悪いという課題があった。【０００５】
本発明は、上述のような課題を背景としてなされたものであり、従来よりも意匠性を向上させることができる室外機を得ることを目的とする。
【課題を解決するための手段】
【０００６】
本発明の室外機は、送風機室及び機械室が内部に設けられた筐体を備えた室外機であって、第１開口部が設けられ、前記筐体の送風機室側の側面を構成する左側面パネルと、前記左側面パネルに取り付けられる第１把持部と、を備え、前記第１把持部は、前記筐体の側面視において前記第１開口部の開口縁よりも内方に位置し、前記左側面パネルの外面よりも内面側に位置するものである。
【発明の効果】
【０００７】
本発明によれば、第１把持部は、前記筐体の側面視において前記第１開口部の開口縁よりも内方に位置し、前記左側面パネルの外面よりも内面側に位置する。このため、従来よりも意匠性を向上させることができるという効果を有する。
【図面の簡単な説明】
【０００８】
【図１】本発明の実施の形態１に係る室外機１００の斜視図である。
【図２】本発明の実施の形態１に係る室外機１００の斜視図である。
【図３】本発明の実施の形態１に係る室外機１００の分解斜視図である。
【図４】本発明の実施の形態１に係る室外機１００の分解斜視図である。
【図５】本発明の実施の形態１に係る室外機１００の左側面図である。
【図６】本発明の実施の形態１に係る室外機１００の左側面パネル５０ｌの内部を示す図である。
【図７】本発明の実施の形態１に係る室外機１００の左側面パネル５０ｌの内部を示す図である。
【図８】本発明の実施の形態１に係る室外機１００の右側面図である。
【図９】本発明の実施の形態１に係る室外機１００の右側面パネル５０ｒの内部を示す図である。
【図１０】本発明の実施の形態１に係る室外機１００の右側面パネル５０ｒの内部を示す図である。
【図１１】本発明の実施の形態１に係る室外機１００の正面図である。
【図１２】本発明の実施の形態１に係る室外機１００の筐体５０の内部を正面から見た図である。
【図１３】本発明の実施の形態１に係る室外機１００の筐体５０の内部を上面から見た図である。
【図１４】本発明の実施の形態１に係る室外機１００の筐体５０の内部を上面から見た図である。
【図１５】本発明の実施の形態１に係る室外機１００の第１把持部４０ｌの斜視図である。
【図１６】本発明の実施の形態１に係る室外機１００の第１把持部４０ｌの側面図である。
【図１７】本発明の実施の形態１に係る室外機１００の第１把持部４０ｌの平面図である。
【図１８】本発明の実施の形態１に係る室外機１００の第１把持部４０ｌの正面図である。
【発明を実施するための形態】
【０００９】
以下、本発明の空気調和機について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る室外機１００の斜視図である。図２は本発明の実施の形態１に係る室外機１００の斜視図である。図１，図２に示されるように、室外機１００の外郭は筐体５０で構成される。筐体５０は、底面パネル５０ｂ（図５）、背面パネル５０ｅ（図５）、前面パネル５０ｆ、左側面パネル５０ｌ、右側面パネル５０ｒ、天面パネル５０ｔで構成される。
【００１１】
底面パネル５０ｂは、筐体５０の底面を構成する部材である。背面パネル５０ｅは、筐体５０の背面を構成する部材である。前面パネル５０ｆは、筐体５０の前面を構成する部材である。左側面パネル５０ｌは、筐体５０の左側面を構成するパネルである。右側面パネル５０ｒは、筐体５０の右側面を構成する部材である。天面パネル５０ｔは、筐体５０の天面を構成する部材である。なお、前面パネル５０ｆ及び左側面パネル５０ｌは、一体として構成されていてもよいし、別体として構成されていてもよい。筐体５０の内部には、室外機１００を構成する各種部材が設けられる。
【００１２】
図３は本発明の実施の形態１に係る室外機１００の分解斜視図である。図４は本発明の実施の形態１に係る室外機１００の分解斜視図である。図３，図４に示されるように、筐体５０の内部には、仕切板１、圧縮機１１、電気品箱１２、室外熱交換器２１、ファン２２、及びファンモータ２３が設けられている。仕切板１が設けられることで、筐体５０の内部は、機械室１０と送風機室２０とに区画される。機械室１０には、圧縮機１１及び電気品箱１２が設けられている。送風機室２０には、室外熱交換器２１、ファン２２、及びファンモータ２３が設けられている。
【００１３】
圧縮機１１は、冷媒を圧縮して高温高圧の冷媒として吐出するものである。電気品箱１２は、室外機１００を運転するために必要な各種部品を収納するものである。電気品箱１２の内部には、例えば制御手段（図示省略）が設けられている。
【００１４】
室外熱交換器２１は、例えば平面視してＬ字形状の熱交換器であり、左側面パネル５０ｌ及び背面パネル５０ｅに沿うように設けられる。室外熱交換器２１は、ファン２２及びファンモータ２３よりも室外機１００の背面側に設けられている。室外熱交換器２１は、暖房運転時において蒸発器として機能し、冷房運転時において凝縮器として機能する。
【００１５】
ファン２２は、例えば、プロペラファンで構成される送風手段である。ファン２２が回転することで、外気が筐体５０の背面側から筐体５０の内部に導入され、筐体５０の内部に導入された外気が筐体５０の前面側に向かって排出される。ファンモータ２３は、ファン２２を回転させる駆動手段である。
【００１６】
制御手段は、ファンモータ２３を制御してファン２２の回転数を調整する。ファン２２の回転数を調整することで、室外熱交換器２１を通過する風量を調整することができる。なお、制御手段は、例えば、この機能を実現する回路デバイスなどのハードウェア、又はマイコン若しくはＣＰＵなどの演算装置上で実行されるソフトウェアで構成される。
【００１７】
制御手段がファンモータ２３を制御してファン２２を回転させることで、筐体５０の背面側から筐体５０の内部に導入された空気と室外熱交換器２１の内部を流れる冷媒との間で熱交換が行われる。室外熱交換器２１の内部を流れる冷媒と熱交換した空気は、筐体５０の前面側に排出される。
【００１８】
図５は本発明の実施の形態１に係る室外機１００の左側面図である。図６は本発明の実施の形態１に係る室外機１００の左側面パネル５０ｌの内部を示す図である。図７は本発明の実施の形態１に係る室外機１００の左側面パネル５０ｌの内部を示す図である。
【００１９】
図５〜図７に示されるように、左側面パネル５０ｌには第１開口部５０ｌ１が設けられている。図７に示されるように、第１開口部５０ｌ１には第１把持部４０ｌが設けられている。第１把持部４０ｌは、筐体５０の側面視において第１開口部５０ｌ１の開口縁よりも内方に位置し、筐体５０の平面視において天面パネル５０ｔの外周よりも内方に位置する。第１把持部４０ｌの詳細については後述する。なお、第１把持部４０ｌ及び左側面パネル５０ｌに係合部を設けて第１把持部４０ｌを左側面パネル５０ｌに取り付けてもよいし、ネジ等の部材を用いて第１把持部４０ｌを左側面パネル５０ｌに取り付けてもよい。
【００２０】
なお、第１開口部５０ｌ１は、例えば左側面パネル５０ｌの一部を左側面パネル５０ｌの厚み方向に折り曲げることで設けられる。具体的には、第１開口部５０ｌ１は、例えば左側面パネル５０ｌの一部を、左側面パネル５０ｌの外面側から左側面パネル５０ｌの内面側に折り曲げることで設けられる。第１開口部５０ｌ１は、例えば左側面パネル５０ｌに対して例えばバーリング加工を施すことで設けられる。第１開口部５０ｌ１は、例えば、開口縁の四隅が丸みを帯びた略矩形状である。
【００２１】
図８は本発明の実施の形態１に係る室外機１００の右側面図である。図９は本発明の実施の形態１に係る室外機１００の右側面パネル５０ｒの内部を示す図である。図１０は本発明の実施の形態１に係る室外機１００の右側面パネル５０ｒの内部を示す図である。
【００２２】
図８〜図１０に示されるように、右側面パネル５０ｒには第２開口部５０ｒ１が設けられている。図１０に示されるように、第２開口部５０ｒ１には第２把持部４０ｒが設けられる。第２開口部５０ｒ１は、天面パネル５０ｔよりも下方に位置している。第２把持部４０ｒは、筐体５０の側面視において第２開口部５０ｒ１の開口縁よりも内方に位置し、筐体５０の平面視において天面パネル５０ｔの外周よりも内方に位置する。なお、第２把持部４０ｒ及び右側面パネル５０ｒに係合部を設けて第２把持部４０ｒを右側面パネル５０ｒに取り付けてもよいし、ネジ等の部材を用いて第２把持部４０ｒを右側面パネル５０ｒに取り付けてもよい。
【００２３】
右側面パネル５０ｒには電源板開口部５０Ｅが設けられている。電源板開口部５０Ｅは、電源板３０を設けるための開口である。電源板３０は、第２開口部５０ｒ１よりも下方に設けられている。電源板３０は、筐体５０の側面視において電源板開口部５０Ｅの開口縁よりも内方に位置し、筐体５０の平面視において天面パネル５０ｔの外周よりも内方に位置する。電源板３０には、電源カバー３１が取り付けられている。電源カバー３１は、右側面パネル５０ｒの外面よりも外方に位置しないように設けられる。電源カバー３１は、例えば、右側面パネル５０ｒの外面側から電源板３０を視認できないように、電源板開口部５０Ｅを覆うように設けられる。
【００２４】
なお、第２開口部５０ｒ１は、例えば右側面パネル５０ｒの一部を右側面パネル５０ｒの厚み方向に折り曲げることで設けられる。具体的には、第２開口部５０ｒ１は、例えば右側面パネル５０ｒの一部を、右側面パネル５０ｒの外面側から右側面パネル５０ｒの内面側に折り曲げることで設けられる。第２開口部５０ｒ１は、例えば右側面パネル５０ｒに対して例えばバーリング加工を施すことで設けられる。第２開口部５０ｒ１は、例えば、開口縁の四隅が丸みを帯びた略矩形状である。
【００２５】
また、以上の実施の形態においては、右側面パネル５０ｒに対して電源板開口部５０Ｅ及び第２開口部５０ｒ１が別々に設けられる例について説明したがこれに限定されない。例えば、電源板開口部５０Ｅ及び第２開口部５０ｒ１を共通化してもよい。このような場合には、右側面パネル５０ｒの成型を容易にすることができる。
【００２６】
図１１は本発明の実施の形態１に係る室外機１００の正面図である。図１２は本発明の実施の形態１に係る室外機１００の筐体５０の内部を正面から見た図である。図１３は本発明の実施の形態１に係る室外機１００の筐体５０の内部を上面から見た図である。図１４は本発明の実施の形態１に係る室外機１００の筐体５０の内部を上面から見た図である。
【００２７】
図１１，図１２に示されるように、第１把持部４０ｌ及び第２把持部４０ｒは筐体５０の上下方向の異なる高さ位置に設けられている。ここで一般に、機械室１０側に設けられる部品の重量は、送風機室２０側に設けられる部品の重量よりも大きいため、室外機１００の重心は、筐体５０の右側面パネル５０ｒ側に位置することがある。このような事情を考慮して、第１把持部４０ｌは、第２把持部４０ｒよりも筐体５０の上方に設けられるようになっている。このようにして、第１把持部４０ｌが第２把持部４０ｒよりも筐体５０の上方に設けられている場合には、第１把持部４０ｌ及び第２把持部４０ｒが筐体５０の上下方向の同一高さ位置に設けられている場合に比べて、作業者は室外機１００を運搬しやすくなる。なお、例えば、機械室１０に設けられる圧縮機１１の重量に起因して、機械室１０側に設けられる部品の重量は、送風機室２０側に設けられる部品の重量よりも大きくなる。
【００２８】
図１３，図１４に示されるように、第１把持部４０ｌ及び第２把持部４０ｒは筐体５０の前後方向の異なる位置に設けられている。具体的には例えば、第１把持部４０ｌは第２把持部４０ｒよりも筐体５０の背面方向に設けられている。すなわち、第１把持部４０ｌは第２把持部４０ｒよりも前面パネル５０ｆから背面パネル５０ｅに向かう方向に設けられている。第１把持部４０ｌ及び第２把持部４０ｒは、例えば、筐体５０の対角線上に位置している。このようにして、第１把持部４０ｌが第２把持部４０ｒよりも筐体５０の背面方向に設けられている場合には、第１把持部４０ｌ及び第２把持部４０ｒが筐体５０の前後方向の同一位置に設けられている場合に比べて、作業者は室外機１００を運搬しやすくなる。
【００２９】
なお、第１開口部５０ｌ１及び第２開口部５０ｒ１の形状は略矩形状であることに限定されるものではなく、種々の形状を採用することができる。
【００３０】
図１５は本発明の実施の形態１に係る室外機１００の第１把持部４０ｌの斜視図である。図１６は本発明の実施の形態１に係る室外機１００の第１把持部４０ｌの側面図である。図１７は本発明の実施の形態１に係る室外機１００の第１把持部４０ｌの平面図である。図１８は本発明の実施の形態１に係る室外機１００の第１把持部４０ｌの正面図である。
【００３１】
図１５〜図１８に示されるように、第１把持部４０ｌは、突出部４０ｌ１及び空洞部４０ｌ２を有する。突出部４０ｌ１は、例えば、第１把持部４０ｌを側面視して略Ｕ字形状となるように構成されている。空洞部４０ｌ２は、例えば、作業者が室外機１００を運搬する場合において、作業者の手が挿入可能なように設けられている。第１把持部４０ｌは、突出部４０ｌ１の湾曲した部分が最も左側面パネル５０ｌの外面側に位置するようにして左側面パネル５０ｌに取り付けられる。なお、図１５〜図１８を参照して第１把持部４０ｌの構造について説明したが、第２把持部４０ｒについても第１把持部４０ｌと同様の構造となっている。
【００３２】
以下に、室外機１００の組立例について説明する。まず、作業者は、筐体５０の内部に設けられる各種部品を収納し、左側面パネル５０ｌに第１把持部４０ｌを取り付け、右側面パネル５０ｒに第２把持部４０ｒを取り付けた後、筐体５０を構成する各種パネルを取り付ける。そして、室外機１００が組み立てられた状態で、作業者は、例えば、第１把持部４０ｌ及び第２把持部４０ｒを把持した状態で室外機１００を上方に持ち上げて運搬する。
【００３３】
以上のように、本実施の形態１に係る室外機１００は、送風機室２０及び機械室１０が内部に設けられた筐体５０を備えた室外機１００であって、第１開口部５０ｌ１が設けられ、筐体５０の送風機室２０側の側面を構成する左側面パネル５０ｌと、左側面パネル５０ｌに取り付けられる第１把持部４０ｌと、を備え、第１把持部４０ｌは、筐体５０の側面視において第１開口部５０ｌ１の開口縁よりも内方に位置し、左側面パネル５０ｌの外面よりも内面側に位置する。このため、第１把持部４０ｌが左側面パネル５０ｌの外面よりも外方に位置しなくなる。したがって、従来よりも意匠性が良い室外機１００を得ることができる。
【００３４】
また、本実施の形態１に係る室外機１００は、送風機室２０及び機械室１０が内部に設けられた筐体５０を備えた室外機１００であって、第２開口部５０ｒ１が設けられ、筐体５０の機械室１０側の側面を構成する右側面パネル５０ｒと、右側面パネル５０ｒに取り付けられる第２把持部４０ｒと、を備え、第２把持部４０ｒは、筐体５０の側面視において第２開口部５０ｒ１の開口縁よりも内方に位置し、右側面パネル５０ｒの外面よりも内面側に位置する。このため、第２把持部４０ｒが右側面パネル５０ｒの外面よりも外方に位置しなくなる。したがって、従来よりも意匠性が良い室外機１００を得ることができる。
【００３５】
また、第１開口部５０ｌ１は、左側面パネル５０ｌの一部を折り曲げることで形成されるため、左側面パネル５０ｌの強度の劣化を抑制することができる。そして同様に、第２開口部５０ｒ１は、右側面パネル５０ｒの一部を折り曲げることで形成されるため、右側面パネル５０ｒの強度の劣化を抑制することができる。
【００３６】
また、第１把持部４０ｌは左側面パネル５０ｌの外面よりも内面側に位置しているため、第１把持部４０ｌが樹脂で構成され且つ左側面パネル５０ｌが板金で構成されているような場合において、第１把持部４０ｌ及び左側面パネル５０ｌが日光に晒されて第１把持部４０ｌのみが変色する可能性を低減することができる。したがって、室外機１００を所定の設置場所に設置して時間が経過するにつれて、第１把持部４０ｌが変色して室外機１００の意匠性を損なう可能性を低減することができる。
【００３７】
そして同様に、第２把持部４０ｒは右側面パネル５０ｒの外面よりも内面側に位置しているため、第２把持部４０ｒが樹脂で構成され且つ右側面パネル５０ｒが板金で構成されている場合において、第２把持部４０ｒ及び右側面パネル５０ｒが日光に晒されて第２把持部４０ｒのみが変色する可能性を低減することができる。したがって、室外機１００を所定の設置場所に設置して時間が経過するにつれて、第２把持部４０ｒが変色して室外機１００の意匠性を損なう可能性を低減できる。
【００３８】
また、第１把持部４０ｌは左側面パネル５０ｌの外面よりも内面側に位置し且つ第２把持部４０ｒは右側面パネル５０ｒの外面よりも内面側に位置しているため、室外機１００が所定の設置場所に設置された状態において、従来よりも、人体が第１把持部４０ｌ及び第２把持部４０ｒに接触する可能性を低減できる。
【００３９】
また、第１把持部４０ｌは左側面パネル５０ｌの外面よりも内面側に位置し且つ第２把持部４０ｒは右側面パネル５０ｒの外面よりも内面側に位置しているため、従来よりも室外機１００を見た使用者等が威圧感を感じることがなくなる。
【符号の説明】
【００４０】
１  仕切板、１０  機械室、１１  圧縮機、１２  電気品箱、２０  送風機室、２１  室外熱交換器、２２  ファン、２３  ファンモータ、３０  電源板、３１  電源カバー、４０ｌ  第１把持部、４０ｌ１  突出部、４０ｌ２  空洞部、４０ｒ  第２把持部、５０  筐体、５０Ｅ  電源板開口部、５０ｂ  底面パネル、５０ｅ  背面パネル、５０ｆ  前面パネル、５０ｌ  左側面パネル、５０ｌ１  第１開口部、５０ｒ  右側面パネル、５０ｒ１  第２開口部、５０ｔ  天面パネル、１００  室外機。
【図１】
2016103331.tif 000003
【図２】
2016103331.tif 000004
【図３】
2016103331.tif 000005
【図４】
2016103331.tif 000006
【図５】
2016103331.tif 000007
【図６】
2016103331.tif 000008
【図７】
2016103331.tif 000009
【図８】
2016103331.tif 000010
【図９】
2016103331.tif 000011
【図１０】
2016103331.tif 000012
【図１１】
2016103331.tif 000013
【図１２】
2016103331.tif 000014
【図１３】
2016103331.tif 000015
【図１４】
2016103331.tif 000016
【図１５】
2016103331.tif 000017
【図１６】
2016103331.tif 000018
【図１７】
2016103331.tif 000019
【図１８】
2016103331.tif 000020
【国際調査報告】
2016103331.tif 000021
2016103331.tif 000022
2016103331.tif 000023
2016103331.tif 000024